【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
ネットワークに接続される画像表示装置および該画像表示装置とは異なる他の装置とを備えた画像表示システムであって、
前記画像表示装置は、
前記ネットワークに通信可能に接続するネットワーク接続手段と、
ＵＳＢメモリを脱着可能に接続する第１のＵＳＢ接続手段と、
前記ＵＳＢ接続手段に接続された前記ＵＳＢメモリに、当該画像表示装置との前記ネットワークを介した通信の設定に要する設定情報を書き込む書込手段と、
前記他の装置から送信された所定の画像データを、前記ネットワーク接続手段を介して受け取って、画像を表示する表示手段と
を備え、
前記他の装置は、
ＵＳＢメモリが接続可能な第２のＵＳＢ接続手段と、
前記設定情報が書き込まれたＵＳＢメモリが、前記第２のＵＳＢ接続手段に接続されたとき、該ＵＳＢメモリに書き込まれた前記設定情報を利用して、前記画像表示装置との前記ネットワークの接続を成立させる設定を行なうネットワーク設定手段と、
前記ネットワークの接続の成立に伴い、前記設定が行なわれたネットワークを介して、前記画像表示装置に、前記所定の画像データを送信する送信手段と
を備え、
前記ＵＳＢメモリは、前記他の装置に当該ＵＳＢメモリが接続された際に、前記他の装置において所定のプログラムを実行させ、当該他の装置に、前記ネットワーク設定手段を実現するプログラムが存在するか否かを判断させ、該プログラムが存在しない場合には、当該プログラムを前記ＵＳＢメモリから前記他の装置において実行可能にインストールさせる手段を備えた
画像表示システム。
【請求項２】
汎用のデータバスであるＵＳＢに接続されるＵＳＢメモリであって、
ネットワークに接続されて画像表示を行なう画像表示装置に接続されたとき、前記画像表示装置との前記ネットワークを介した通信の設定に要する設定情報を、所定の記憶領域に記憶する手段と、
前記画像表示装置に画像データを送信しようとする他の装置に接続されたとき、予め記憶された第１のプログラムを前記他の装置に自動起動させる手段と、
前記第１のプログラムにより、前記記憶領域に記憶された前記設定情報を利用して前記他の装置が前記画像表示装置とネットワーク接続可能となるように、当該他の装置におけるネットワークに関する設定を行なわせ、前記ネットワーク接続の成立に伴い、前記他の装置に、前記画像表示装置に表示させる画像データを送信させる第２のプログラムを実行させる手段と
を備え、
前記第１のプログラムは、前記他の装置に前記第２のプログラムがインストールされているか否かを判断し、インストールされていない場合には、当該第２のプログラムのインストールを実行させ、該インストールされた第２のプログラムを起動させる機能を前記他の装置に実現させるプログラムである
ＵＳＢメモリ。
【請求項３】
ネットワークに接続された画像表示装置と該画像表示装置とは異なる他の装置との通信の設定を行って前記画像表示装置に画像を表示する方法であって、
ＵＳＢメモリを、前記画像表示装置の第１のＵＳＢ接続手段に接続し、
該第１のＵＳＢ接続手段に接続されたＵＳＢメモリに、前記画像表示装置との前記ネットワークを介した通信の設定に要する設定情報を書き込み、
該設定情報が書き込まれた前記ＵＳＢメモリが、前記画像表示装置の前記第１のＵＳＢ接続手段から離脱された後、前記他の装置の第２のＵＳＢ接続手段に接続されたとき、前記他の装置において、前記ＵＳＢメモリに書き込まれた前記設定情報を利用して、前記他の装置と前記画像表示装置との前記ネットワーク接続を成立させる設定処理を行い、
前記ネットワーク接続の成立に伴い、前記画像表示装置と前記他の装置とが前記ネットワークを介した通信を行って、前記他の装置から画像データを送信し、前記画像表示装置において、前記送信された画像データを受け取って画像を表示し、
前記他の装置は、
前記ＵＳＢメモリが接続されたとき、前記ＵＳＢメモリに内蔵されたプログラムを実行して、前記設定処理を行なうプログラムが前記他の装置に存在するか否かを判定し、
該プログラムが存在しないと判定した場合には、当該プログラムを、前記他の装置にインストールしてから前記設定処理を実行する
画像表示方法。
【請求項４】
画像を表示する画像表示装置にネットワークを介して接続される処理装置であって、
ＵＳＢメモリが接続可能なＵＳＢ接続手段と、
前記画像表示装置との前記ネットワークを介した通信の設定に要する設定情報を記憶したＵＳＢメモリが前記ＵＳＢ接続手段に接続されたとき、該ＵＳＢメモリに記憶された前記設定情報を利用して、前記画像表示装置との前記ネットワークの接続を成立させる設定処理を行なうネットワーク設定手段と、
前記ＵＳＢメモリが接続されたとき、前記ＵＳＢメモリに内蔵されたプログラムを実行して、前記設定処理を行なうプログラムが前記処理装置に存在するか否かを判定する判定手段と、
前記ネットワークの接続の成立に伴い、前記設定が行なわれたネットワークを介して、前記画像表示装置に、所定の画像データを送信する送信手段と
を備え、
前記ネットワーク設定手段は、前記判定手段が、前記プログラムが存在しないと判定した場合には、当該プログラムを、前記処理装置にインストールしてから前記設定処理を実行する
処理装置。
【請求項５】
ネットワークを介して接続された画像表示装置に、処理装置から画像データを送信する方法であって、
前記画像表示装置との前記ネットワークを介した通信の設定に要する設定情報を記憶したＵＳＢメモリを、前記処理装置に接続する工程と、
該接続された前記ＵＳＢメモリに記憶された前記設定情報を利用して、前記画像表示装置との前記ネットワークの接続を成立させる設定処理を行なわせる工程と、
前記ＵＳＢメモリが接続されたとき、前記ＵＳＢメモリに内蔵されたプログラムを実行して、前記設定処理を行なうプログラムが前記処理装置に存在するか否かを判定させる工程と、
前記プログラムが存在しないと判定した場合には、当該プログラムを、前記処理装置にインストールしてから前記設定処理を実行させる工程と、
前記ネットワークの接続の成立に伴い、前記設定が行なわれたネットワークを介して、前記画像表示装置に、所定の画像データを送信する工程と
を備えた画像データ送信方法。
【請求項６】
画像を表示する画像表示装置にネットワークを介して画像データを送信する処理装置が実行するプログラムであって、
前記画像表示装置との前記ネットワークを介した通信の設定に要する設定情報を記憶したＵＳＢメモリが前記処理装置に接続されたことが検出されたとき、該接続された前記ＵＳＢメモリに記憶された前記設定情報を利用して、前記画像表示装置との前記ネットワークの接続を成立させる設定処理を行なう機能と、
前記ＵＳＢメモリの接続が検出されたとき、前記ＵＳＢメモリに内蔵されたプログラムを実行して、前記設定処理を行なうプログラムが前記処理装置に存在するか否かを判定する機能と、
前記プログラムが存在しないと判定した場合には、当該プログラムを、前記処理装置にインストールしてから前記設定処理を実行する機能と、
前記ネットワークの接続の成立に伴い、該ネットワークを介して、前記画像表示装置に、所定の画像データを送信する機能と
を前記処理装置に実現させるプログラム。
【手続補正２】
【補正対象書類名】明細書
【補正対象項目名】発明の名称
【補正方法】変更
【補正の内容】
【発明の名称】画像表示システム、ＵＳＢメモリ、画像表示方法、処理装置、画像データ送信方法およびプログラム